(57)【要約】  本発明の目的は、高速かつ正確な位置決めを可能とする光情報装置、光情報処理方法を提供することである。  解決手段の一例として、信号光と参照光との干渉パターンがホログラムとして記録されている光情報記録媒体から情報を再生する、および／あるいは光情報記録媒体に情報を記録する光情報装置であって、光ビームを出射する光学系と、前記光学系からの光ビームを光情報記録媒体に照射したときに得られる再生光の少なくとも一部を通過させる開口部と、前記再生光の少なくとも一部を検出する第１の検出部と、前記開口部の位置を検出する第２の検出部と、前記第１の検出部から得られる第１の信号と前記第２の検出部から得られる第２の信号に基づいて、前記開口部の位置を制御する制御部と、を備える光情報装置が挙げられる。
2015114743.tif 000002
【特許請求の範囲】
【請求項１】
信号光と参照光との干渉パターンがホログラムとして記録されている光情報記録媒体から情報を再生する、および／あるいは光情報記録媒体に情報を記録する光情報装置であって、
光ビームを出射する光学系と、
前記光学系からの光ビームを光情報記録媒体に照射したときに得られる再生光の少なくとも一部を通過させる開口部と、
前記再生光の少なくとも一部を検出する第１の検出部と、
前記開口部の位置を検出する第２の検出部と、
前記第１の検出部から得られる第１の信号と前記第２の検出部から得られる第２の信号に基づいて、前記開口部の位置を制御する制御部と、
を備える光情報装置。
【請求項２】
請求項１記載の光情報装置であって、
前記制御部は、前記第１の信号と前記第２の信号を切換えることにより前記開口部の制御状態を切り換えることを特徴とする光情報装置。
【請求項３】
請求項１記載の光情報装置であって、
前記制御部は、前記前記位置検出信号に基づいて前記開口部の位置を固定制御する制御状態を有することを特徴とする光情報装置。
【請求項４】
請求項１記載の光情報装置であって、
前記再生光に基づく再生光量を検出する再生光量検出部を備え、
前記制御部は、前記再生光量検出部の検出結果に応じて、前記第１の信号と前記第２の信号を切換えることにより前記開口部の制御状態を切り換えることを特徴とする光情報装置。
【請求項５】
請求項１記載の光情報装置であって、
光情報記録媒体に入射する前記光ビームの角度を変えるための光ビーム角度可変素子を備え、
前記制御部は、前記光ビーム角度可変素子が次の角度に移動中か否かに応じて、前記第１の信号と前記第２の信号を切換えることにより前記開口部の制御状態を切り換えることを特徴とする光情報装置。
【請求項６】
請求項１記載の光情報装置であって、
前記制御部は、前記開口部の制御残差に応じて、前記第１の信号と前記第２の信号を切換えることにより前記開口部の制御状態を切り換えることを特徴とする光情報装置。
【請求項７】
請求項１記載の光情報装置であって、
前記光情報記録媒体には、複数のページを有するブックが記録されており、
前記制御部は、ブックに含まれるページの中で所定量のページの再生が完了したか否かに応じて、前記第１の信号と前記第２の信号を切換えることにより前記開口部の制御状態を切り換えることを特徴とする光情報装置。
【請求項８】
請求項１記載の光情報装置であって、
前記光情報記録媒体には、複数のショートスタックを有するブックが記録されており、
前記ショートスタックは、複数のページを有しており、
前記制御部は、ブックに含まれるページの中で再生が完了したページ数と、前記ショートスタックが有するページ数を比較し、該比較の結果に応じて、前記開口部の制御状態を切り換えることを特徴とする光情報装置。
【請求項９】
請求項１に記載の光情報装置において、
前記制御部は、前記第１の信号と前記第２の信号を加算した信号に基づいて、前記開口部の制御状態を切り換えることを特徴とする光情報装置。
【請求項１０】
請求項１記載の光情報装置であって、
前記光源部から出射した光を信号光と参照光に分岐する分岐素子と、
前記信号光に２次元情報を付加するための空間光変調器と、を備え、
前記制御部は、光情報記録媒体に情報を記録するとき、前記第２の信号により前記開口部を制御することを特徴とする光情報装置。
【請求項１１】
請求項８記載の光情報装置であって、
前記光情報記録媒体を移動または回転させる媒体駆動部を備え、
前記制御部は、前記開口部の駆動量と前記開口部の可動範囲とを比較し、該比較に基づいて、前記開口部移動または、前記媒体駆動部により前記光情報記録媒体を移動または回転させる、光情報装置。
【請求項１２】
光情報記録媒体から情報を再生する、および／あるいは光情報記録媒体に情報を記録する光情報装置であって、
光ビームを出射する光学系と、
前記光学系からの光ビームを光情報記録媒体に照射したときに得られる再生光の少なくとも一部を通過させる開口部と、
前記再生光の少なくとも一部を検出する検出部と、
前記検出部から得られる第１の信号に基づいて前記開口部の位置を制御する第１の制御状態と、前記開口部の位置を固定制御または位置検出センサに基づく制御をする第２の制御状態と、を有する制御部と、
を備える光情報装置。
【請求項１３】
請求項１２に記載の光情報装置であって、
前記再生光に基づく再生光量を検出する再生光量検出部を備え、
前記制御部は、前記再生光量検出部の検出結果に応じて、前記第１の制御状態と前記第２の制御状態を切換えることを特徴とする光情報装置。
【請求項１４】
請求項１２に記載の光情報装置であって、
光情報記録媒体に入射する前記光ビームの角度を変えるための光ビーム角度可変素子を備え、
前記制御部は、前記光ビーム角度可変素子が次の角度に移動中か否かに応じて、前記第１の制御状態と前記第２の制御状態を切換えることを特徴とする光情報装置。
【請求項１５】
請求項１２に記載の光情報装置であって、
前記制御部は、前記開口部の制御残差に応じて、前記第１の制御状態と前記第２の制御状態を切換えることを特徴とする光情報装置。
【請求項１６】
請求項１２記載の光情報装置であって、
前記光情報記録媒体には、複数のページを有するブックが記録されており、
前記制御部は、ブックに含まれるページの中で所定量のページの再生が完了したか否かに応じて、前記第１の制御状態と前記第２の制御状態を切換えることを特徴とする光情報装置。
【請求項１７】
請求項１２記載の光情報装置であって、
前記光情報記録媒体には、複数のショートスタックを有するブックが記録されており、
前記ショートスタックは、複数のページを有しており、
前記制御部は、ブックに含まれるページの中で再生が完了したページ数と、前記ショートスタックが有するページ数を比較し、該比較の結果に応じて、前記第１の制御状態と前記第２の制御状態を切換えることを特徴とする光情報装置。
【請求項１８】
請求項１２に記載の光情報装置であって、
前記制御部は、光情報記録媒体に情報を記録するとき、前記第２の制御状態を実行することを特徴とする光情報装置。
【請求項１９】
信号光と参照光との干渉パターンがホログラムとして記録されている光情報記録媒体から情報を再生する、および／あるいは光情報記録媒体に情報を記録する光情報処理方法であって、
光ビームを出射する出射ステップと、
前記出射ステップで出射された光ビームを光情報記録媒体に照射したときに得られる再生光の少なくとも一部を開口部により通過させる開口ステップと、
前記再生光の少なくとも一部を検出する第１の検出ステップと、
前記開口部の位置を検出する第２の検出ステップと、
前記第１の検出ステップで得られる第１の信号と前記第２の検出ステップで得られる第２の信号に基づいて、前記開口部の位置を制御する制御ステップと、
を備える光情報処理方法。
【請求項２０】
光情報記録媒体から情報を再生する、および／あるいは光情報記録媒体に情報を記録する光情報処理方法であって、
光ビームを出射する出射ステップと、
前記出射ステップで出射された光ビームを光情報記録媒体に照射したときに得られる再生光の少なくとも一部を開口部により通過させる開口ステップと、
前記再生光の少なくとも一部を検出する検出ステップと、
前記検出ステップで得られる第１の信号に基づいて前記開口部の位置を制御する第１の制御ステップと、
前記開口部の位置を固定制御または位置検出センサに基づく制御をする第２の制御ステップと、
を備える光情報処理方法。
【請求項２１】
参照光と信号光を用いてページが記録されている光情報記録媒体から情報を再生する光情報装置であって、
参照光を出射する光学系と、
前記光学系からの参照光の光情報記録媒体への入射角度を制御する角度制御部と、
前記角度制御部からの参照光を光情報記録媒体に照射したときに得られる再生光の少なくとも一部を通過させる開口部と、
前記角度制御部が第１のページに対応する角度から第２のページに対応する角度に移動中の少なくとも一部の期間に、前記開口部の位置を固定制御または位置検出センサに基づく制御をする制御状態を有する制御部と、
を備える光情報装置。
【請求項２２】
光情報記録媒体から情報を再生する光情報装置であって、
光ビームを出射する光学系と、
前記光学系からの光ビームを光情報記録媒体に照射したときに得られる再生光の少なくとも一部を通過させる開口部と、
前記光学系または前記光情報記録媒体が移動中の少なくとも一部の期間に、前記開口部の位置を固定制御または位置検出センサに基づく制御をする制御状態を有する制御部と、
を備える光情報装置。
【発明の詳細な説明】
【技術分野】
【０００１】
本発明は、ホログラフィを用いて光情報記録媒体に情報を記録、光情報記録媒体から情報を再生する、光情報装置および光情報処理方法に関する。
【背景技術】
【０００２】
本技術分野の背景技術として、例えば特開２００８−１９７５７５（特許文献１）がある。この文献には、「光センサ２６にて撮像した画像データに含まれる基準マークＭ１〜Ｍ４の位置を特定し、これらの位置から再生信号光ＲＳと再生参照光ＲＲの境界位置を特定する。境界位置が特定できると、この境界位置に基づいて目標撮像径Ｄｔを算出する。そして、開口部ＡＰの径が光センサ２６にて撮像したときに目標撮像径Ｄｔとなるように、ドライバ３０ｃにアイリス調整用アクチュエータＡＣ１を駆動させる。」と記載されている。また、特許文献１には「位置調整用アクチュエータＡＣ２を駆動させることによって光軸方向に直交する面において遮光板２０の位置を調整することが可能となっており、開口部ＡＰの位置を高さ方向（Ｙ）および幅方向（Ｘ）に調整することができる。」と記載されている。
【先行技術文献】
【特許文献】
【０００３】
【特許文献１】特開２００８−１９７５７５号公報
【特許文献２】ＵＳ７５８９８７７Ｂ２
【発明の概要】
【発明が解決しようとする課題】
【０００４】
ところで、ホログラム記録技術を用いた光情報装置において光情報記録媒体に記録された情報を高速に再生するためには、記録媒体の再生位置を高速かつ正確に位置決めする必要がある。特許文献１には、
「光センサ２６にて撮像した画像データに含まれる基準マークＭ１〜Ｍ４の位置を特定し、これらの位置から再生信号光ＲＳと再生参照光ＲＲの境界位置を特定する。境界位置が特定できると、この境界位置に基づいて目標撮像径Ｄｔを算出する。そして、開口部ＡＰの径が光センサ２６にて撮像したときに目標撮像径Ｄｔとなるように、ドライバ３０ｃにアイリス調整用アクチュエータＡＣ１を駆動させる。」とあるが、連続的な再生では画像データを使った駆動方法では高速化が難しい。また、再生時に振動などで位置ずれが生じた場合には正確な位置決めが難しい。【０００５】
そこで、本発明の目的は、高速かつ正確な位置決めを可能とする光情報装置、光情報処理方法を提供することである。
【課題を解決するための手段】
【０００６】
上記課題は、その一例として、再生光に基づく第１の信号と、開口部の位置センサに基づく第２の信号と、に基づいて、開口部の位置を制御することで解決される。
【発明の効果】
【０００７】
本発明によれば、高速かつ正確な位置決めを可能とする光情報装置、光情報処理方法を提供することが出来る。
【図面の簡単な説明】
【０００８】
【図１】本発明の第１の実施例に係る光情報記録再生装置におけるピックアップの構成の一例で、再生原理を説明するための概略図である。
【図２】本発明の第１の実施例に係る光情報記録再生装置の全体概略構成を表すブロック図である。
【図３】図１と同一構成のピックアップで、記録原理を説明するための概略図である。
【図４】本発明の第１の実施例に係る光情報記録再生装置の動作フロー図であり、（ａ）は光情報記録再生装置に光情報記録媒体を挿入した後、記録または再生の準備が完了するまでの動作フロー図を、（ｂ）は準備完了状態から光情報記録媒体に情報を記録するまでの動作フロー図を、（ｃ）は準備完了状態から光情報記録媒体に記録した情報を再生するまでの動作フロー図を示す。
【図５】本発明の第１の実施例に係る光情報記録再生装置の記録、再生時のデータ処理フロー図であり、（ａ）は信号生成回路の動作フロー図を、（ｂ）は信号処理回路の動作フロー図を示す。
【図６】本発明の第１の実施例に係る光情報記録再生装置における信号生成回路の構成の一例を示すブロック図である。
【図７】本発明の第１の実施例に係る光情報記録再生装置における信号処理回路の構成の一例を示すブロック図である。
【図８】本発明の第１の実施例に係る光情報記録再生装置におけるピックアップ内の空間フィルタの概略図であり、（ａ）は開口部１０１の中心を通るｘ方向ラインにおける断面図を、（ｂ）は光情報記録媒体１側から見た平面図を示す。
【図９】本発明の第１の実施例に係る光情報記録再生装置におけるピックアップ内の空間フィルタ近傍の再生光の光線図であり、（ａ）はｘ方向の位置誤差（或いはｙ方向の位置誤差）がある場合、（ｂ）はｚ方向の位置誤差がある場合を示す。
【図１０】本発明の第１の実施例に係る光情報記録再生装置におけるピックアップ内の空間フィルタが（ａ）はx方向に位置誤差、（ｂ）はｙ方向に位置誤差、（ｃ）はｚ方向に位置誤差信号を有する場合の位置誤差信号の一例を示す。
【図１１】本発明の第２の実施例に係る光情報記録再生装置において（ａ）は光情報記録媒体に入射する参照光角度Φ１、Φ２・・ΦＮと信号光によって形成されるホログラムを光検出器で検出した場合の光量を横軸に参照光角度をとって示した、（ｂ）は再生時においてホログラムの再生光量やガルバノミラーの移動によって生成される制御用の切換え信号、（ｃ）は再生過程と参照光角度を制御するガルバノミラーの移動過程とを示す再生時の動作フロー、（ｄ）（ｃ）のシーケンスに対するピックアップ内の空間フィルタの制御の切換えのフロー、（ｅ）ピックアップ内の空間フィルタに位置を示すセンサを使った空間フィルタの位置を決めるアクチュエータの駆動信号波形、（ｆ）ピックアップ内の空間フィルタに位置を示すセンサを使わない場合の空間フィルタの位置を決めるアクチュエータの駆動信号波形の一例を示す。
【図１２】本発明の第３の実施例に係る光情報記録再生装置において（ａ）は光情報記録媒体に入射する参照光角度Φ１、Φ２・・ΦＮと信号光によって形成されるホログラムを光検出器で検出した場合の光量、（ｂ）は再生時においてホログラムの再生光量やガルバノミラーの移動によって生成される制御用の切換え信号、（ｃ）は再生過程と参照光角度を制御するガルバノミラーの移動過程とを示す再生時のシーケンスフロー、（ｄ）（ｃ）のシーケンスに対するピックアップ内の空間フィルタの制御の切換えのフロー、（ｅ）ピックアップ内の空間フィルタに位置を示すセンサを使った空間フィルタの位置を決めるアクチュエータの駆動信号波形、（ｆ）ピックアップ内の空間フィルタに位置を示すセンサを使わない場合の空間フィルタの位置を決めるアクチュエータの駆動信号波形の一例を示す。
【図１３】本発明の第２の実施例に係る光情報記録再生装置においてブック内での再生時の空間フィルタを（ａ）は再生光量に基づいた位置制御の切換え（ｂ）はガルバノミラーの制御に基づいた位置制御の切換え（ｃ）は制御残差に基づいた位置制御の切換えの動作フローを示す。
【図１４】本発明の第３の実施例に係る光情報記録再生装置にいてブック内での再生時の空間フィルタの位置制御の切換えの動作フローを示す。
【図１５】本発明の第４の実施例に係る光情報記録再生装置において（ａ）は４つのショートスタックを用いてブックを記録した場合のピックアップ内の空間フィルタの位置決め目標であり、（ｂ）（ａ）の位置決め目標に対して位置誤差信号に基づいてピックアップ内の空間フィルタの位置決めをする場合の制御のプロファイルの一例を示す。
【図１６】本発明の第４の実施例に係る光情報記録再生装置においてピックアップ内の空間フィルタの位置移動の動作フローの一例を示す。
【図１７】本発明の第２と第３の実施例に係る光情報記録再生装置において（ａ）は光情報記録媒体に入射する参照光角度Φ１、Φ２・・ΦＮに形成されたホログラム（ページ）に対して、（ｂ）はホログラムの再生光によって生成される位置誤差信号を示し、（ｃ）は位置検出センサによって生成される位置誤差信号を示し、（ｄ）は（ｂ）と（ｃ）を加算した位置誤差信号によりアクチュエータを駆動信号を生成することでピックアップ内の空間フィルタの位置を決める一例を示す。
【図１８】本発明の実施例に係る光情報記録再生装置にいて（ａ）は４つのショートスタックを用いてブックを記録した場合のピックアップ内の空間フィルタの位置決め目標であり、（ｂ）（ａ）の位置決め目標に対して位置誤差信号に基づいてピックアップ内の空間フィルタの位置決めをする場合の制御のプロファイルの一例を示す。
【図１９】本発明の第５の実施例に係る光情報記録再生装置にいてピックアップ内の空間フィルタの位置移動の動作フローの一例を示す。
【図２０】本発明の第４の実施例に係る光情報記録再生装置にいてピックアップ内の空間フィルタと回転モータによる位置付けの動作フローの一例を示す。
【図２１】本発明の第４の実施例に係る光情報記録再生装置にいてピックアップ内の空間フィルタの位置移動の動作フローの一例を示す。
【発明を実施するための形態】
【０００９】
以下、本発明の実施例について図面を用いて説明する。
【実施例１】
【００１０】
本発明の第１の実施例について図１〜図１０を用いて説明する。なお、図中の同一符号は同一構成要素を示す。【００１１】
まず、光情報記録再生装置の全体構成について説明する。図２は、本実施例に係る光情報記録再生装置の全体構成を説明するための図で、ホログラフィを利用してデジタル情報を記録および／または再生する光情報記録媒体の記録再生装置を示すブロック図である。【００１２】
光情報記録再生装置１０は、入出力制御回路９０を介して外部制御装置９１と接続されている。記録する場合には、光情報記録再生装置１０は外部制御装置９１から記録する情報信号を入出力制御回路９０により受信する。再生する場合には、光情報記録再生装置１０は再生した情報信号を入出力制御回路９０により外部制御装置９１に送信する。【００１３】
光情報記録再生装置１０は、ピックアップ１１、再生用参照光光学系１２、キュア光学系１３、ディスク回転角度検出用光学系１４、及び回転モータ５０を備えており、ディスク形状の光情報記録媒体１は回転モータ５０によって回転可能な構成となっている。【００１４】
ピックアップ１１は、参照光と信号光を光情報記録媒体１に出射し、ホログラフィを利用してデジタル情報を記録媒体に記録する役割を果たす。この際、記録する情報信号はコントローラ８９によって信号生成回路８６を介してピックアップ１１内の後述する空間光変調器に送り込まれ、信号光は空間光変調器によって変調される。光情報記録媒体１に記録した情報を再生する場合は、ピックアップ１１から出射された参照光を記録時とは逆の向きに光情報記録媒体に入射させる光波を再生用参照光光学系１２にて生成する。再生用参照光によって再生される再生光をピックアップ１１内の後述する撮像素子によって検出し、信号処理回路８５によって信号を再生する。【００１５】
光情報記録媒体１に照射する参照光と信号光の照射時間は、ピックアップ１１内の後述するシャッタの開閉時間をコントローラ８９によってシャッタ制御回路８７を介して制御することで調整できる。【００１６】
キュア光学系１３は、光情報記録媒体１のプリキュアおよびポストキュアに用いる光ビームを生成する役割を果たす。プリキュアとは、光情報記録媒体１内の所望の位置に情報を記録する際、所望位置に参照光と信号光を照射する前に予め所定の光ビームを照射する前工程である。ポストキュアとは、光情報記録媒体１内の所望の位置に情報を記録した後、該所望の位置に追記不可能とするために所定の光ビームを照射する後工程である。【００１７】
ディスク回転角度検出用光学系１４は、光情報記録媒体１の回転角度を検出するために用いられる。光情報記録媒体１を所定の回転角度に調整する場合は、ディスク回転角度検出用光学系１４によって回転角度に応じた信号を検出し、検出された信号を用いてコントローラ８９によってディスク回転モータ制御回路８８を介して光情報記録媒体１の回転角度を制御する事が出来る。【００１８】
また、ピックアップ１１、そして、キュア光学系１３は、光情報記録媒体１の半径方向に位置をスライドできる機構が設けられており、アクセス制御回路８１を介して位置制御が行われる。あるいは、光情報記録再生装置１０は光情報記録媒体１を半径方向に位置をスライドする機構を設け、アクセス制御回路８１を介して位置制御が行われる。【００１９】
光源駆動回路８２からは所定の光源駆動電流がピックアップ１１、キュア光学系１３、ディスク回転角度検出用光学系１４内の光源に供給され、各々の光源からは所定の光量で光ビームを発光することができる。【００２０】
ところで、ホログラフィの角度多重の原理を利用した記録技術は、参照光角度のずれに対する許容誤差が極めて小さくなる傾向がある。【００２１】
したがって、ピックアップ１１内に、参照光角度のずれ量を検出する機構を設けて、サーボ信号生成回路８３にてサーボ制御用の信号を生成し、サーボ制御回路８４を介して該ずれ量を補正するためのサーボ機構を光情報記録再生装置１０内に備える。【００２２】
また、ピックアップ１１、キュア光学系１３、ディスク回転角度検出用光学系１４は、いくつかの光学系構成または全ての光学系構成をひとつに纏めて簡素化しても構わない。【００２３】
次にピックアップの構成について説明する。図３は、本実施例に係る光情報記録再生装置１０におけるピックアップ１１の基本的な光学系構成の一例を示す概略図であり、この図を用いて記録原理を説明する。光源２０１を出射した光ビームはコリメートレンズ２０２を透過し、シャッタ２０３に入射する。シャッタ２０３が開いている時は、光ビームはシャッタ２０３を通過した後、記録動作または再生動作に応じて例えば１／２波長板などで構成される光学素子２０４によってＰ偏光とＳ偏光の光量比が所望の比になるように偏光方向が制御された後、偏光ビームスプリッタ２０５に入射する。本実施例では記録時にはＰ偏光とＳ偏光、再生時にはＳ偏光に変換するものとする。【００２４】
偏光ビームスプリッタ２０５を透過した光ビームは、信号光２０６として働き、ビームエキスパンダ２０８によって所望のビーム径に拡大された後、位相マスク２０９、リレーレンズ２１０、偏光ビームスプリッタ２１１を透過して空間光変調器２１２に入射する。空間光変調器２１２は信号光に２次元画像データなどの情報信号を付加する光学素子である。例えば偏光変換（Ｐ偏光→Ｓ偏光）する微小素子を２次元配列し、記録する情報信号に応じて各素子を駆動する構成とする。【００２５】
空間光変調器２１２によって情報が付加された信号光は、偏光ビームスプリッタ２１１を反射し、リレーレンズ２１３ならびにアクチュエータ２２６によって位置調整可能な空間フィルタ２１４を伝播する。その後、信号光は対物レンズ２１５によって光情報記録媒体１に集光する。ここで、ホログラムを光記録媒体１に記録する場合、空間フィルタ２１４の位置（例えばｘ−ｚ面における位置）を一定範囲内（例えば目標位置±１ｕｍ以下）で制御するために、位置検出センサ２２７の出力に応じてアクチュエータ２２６を駆動する。【００２６】
一方、偏光ビームスプリッタ２０５を反射した光ビームは参照光２０７として働き、偏光方向変換素子２１６によって記録時または再生時に応じて所定の偏光方向に設定される。本実施例では記録時にはＳ偏光、再生時にはＰ偏光に変換するものとする。この後、参照光はミラー２１７ならびにミラー２１８を経由してガルバノミラー２１９に入射する。ガルバノミラー２１９はアクチュエータ２２０によって角度を調整可能のため、レンズ２２１とレンズ２２２を通過した後に光情報記録媒体１に入射する参照光の入射角度を、所望の角度に設定することができる。なお、参照光の入射角度を設定するために、ガルバノミラーに代えて、参照光の波面を変換する素子を用いても構わない。【００２７】
このように信号光と参照光とを光情報記録媒体１において、互いに重ね合うように入射させることで、記録媒体内には干渉縞パターンが形成され、このパターンを記録媒体に書き込むことで情報を記録する。また、ガルバノミラー２１９によって光情報記録媒体１に入射する参照光の入射角度を変化させることができるため、角度多重による記録が可能である。【００２８】
以降、同じ領域に参照光角度を変えて記録されたホログラムにおいて、１つ１つの参照光角度に対応したホログラムを「ページ」と呼び、同領域に角度多重されたページの集合を「ブック」と呼ぶことにする。【００２９】
光情報記録媒体１に情報（ページ）が記録された後、シャッタ２０３が閉じ、次に記録される情報が空間光変調器２１２によって表示される。同時に、ガルバノミラー２１９が微小量（例えば、０．１度）だけ回転して、光情報記録媒体１への参照光の入射角度が変更される。その後シャッタ２０３が開くと、次に記録される情報が光情報記録媒体１の同一ブックの新たなページとして、先に記録されたページとは異なる角度で多重記録される。そしてページ数が所定の多重数（例えば、２００ページ）に達すると、次のブックへの移動を行う。ブックの移動では対物レンズ２１５の位置に対し図示しない駆動手段により光情報記録媒体１を移動させる。なお、符号２２３と符号２２６はアクチュエータ、符号２２４はガルバノミラー、符号２２５は撮像素子を示す。【００３０】
図１は、図３と同一構成のピックアップで、再生原理を説明するための概略図である。記録した情報を再生する場合は、前述したように参照光２０７を光情報記録媒体１に入射する。そして、光情報記録媒体１を透過した参照光を、アクチュエータ２２３によって角度調整可能なガルバノミラー２２４に略垂直に入射し反対方向に反射させることで位相共役光とし、再生用参照光として再び光情報記録媒体１に入射する。なお、アクチュエータ２２３及びガルバノミラーは、再生用参照光光学系１２を構成する。【００３１】
この再生用参照光によって再生された再生光２０６は、対物レンズ２１５、リレーレンズ２１３ならびにアクチュエータ２２６によって位置調整可能な空間フィルタ２１４を伝播する。その後、再生光２０６は偏光ビームスプリッタ２１１を透過して撮像素子２２５に入射し、記録した信号を再生することができる。撮像素子２２５としては例えばＣＭＯＳイメージセンサーやＣＣＤイメージセンサーなどの撮像素子を用いることができるが、ページデータを再生可能であれば、どのような素子であっても構わない。【００３２】
次に、記録・再生動作フローについて説明する。図４は、本実施例に係る光情報記録再生装置１０における記録、再生の動作フローを示したものである。ここでは、特にホログラフィを利用した記録再生に関するフローを説明する。【００３３】
図４（ａ）は、光情報記録再生装置１０に光情報記録媒体１を挿入した後、記録または再生の準備が完了するまでの動作フローを示し、図４（ｂ）は準備完了状態から光情報記録媒体１に情報を記録するまでの動作フロー、図４（ｃ）は準備完了状態から光情報記録媒体１に記録した情報を再生するまでの動作フローを示したものである。【００３４】
図４（ａ）に示すように光情報記録媒体を挿入すると（Ｓ４０１）、光情報記録再生装置１０は、例えば挿入された光情報記録媒体がホログラフィを利用してデジタル情報を記録または再生する光情報記録媒体であるかどうか光情報記録媒体判別を行う（Ｓ４０２）。【００３５】
光情報記録媒体判別の結果、ホログラフィを利用してデジタル情報を記録または再生する光情報記録媒体であると判断されると、光情報記録再生装置１０は光情報記録媒体に設けられたコントロールデータを読み出し（Ｓ４０３）、例えば光情報記録媒体に関する情報や、例えば記録や再生時における各種設定条件に関する情報を取得する。なお、ホログラフィ専用の光情報記録再生装置の場合には、この判別ステップ（Ｓ４０２）を省略してもよい。【００３６】
コントロールデータの読み出し後は、コントロールデータに応じた各種調整やピックアップ１１に関わる学習処理（Ｓ４０４）を行い、光情報記録再生装置１０は、記録または再生の準備が完了する（Ｓ４０５）。【００３７】
準備完了状態から情報を記録するまでの動作フローは図４（ｂ）に示すように、まず記録するデータを受信して（Ｓ４１１）、該データに応じた情報をピックアップ１１内の空間光変調器に送り込む。【００３８】
その後、光情報記録媒体に高品質の情報を記録できるように、必要に応じて例えば光源２０１のパワー最適化やシャッタ２０３による露光時間の最適化や位置検出センサ２２７の出力に応じてサーボ制御回路８４でアクチュエータ２２６を駆動し空間フィルタ２１４の位置決め等の各種記録用学習処理を事前に行う（Ｓ４１２）。【００３９】
その後、シーク動作（Ｓ４１３）ではアクセス制御回路８１を制御して、ピックアップ１１ならびにキュア光学系１３の位置を光情報記録媒体の所定の位置に位置づけする。光情報記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。【００４０】
その後、キュア光学系１３から出射する光ビームを用いて所定の領域をプリキュアし（Ｓ４１４）、ピックアップ１１から出射する参照光と信号光を用いてデータを記録する（Ｓ４１５）。【００４１】
データを記録した後は、キュア光学系１３から出射する光ビームを用いてポストキュアを行う（Ｓ４１６）。必要に応じてデータをベリファイしても構わない。【００４２】
準備完了状態から記録された情報を再生するまでの動作フローは図４（ｃ）に示すように、まずシーク動作（Ｓ４２１）で、アクセス制御回路８１を制御して、ピックアップ１１ならびに再生用参照光光学系１２の位置を光情報記録媒体の所定の位置に位置づけする。光情報記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。【００４３】
その後、ピックアップ１１から参照光を出射し、光情報記録媒体に記録された情報を読み出し（Ｓ４２２）、再生データを送信する（Ｓ４２３）。【００４４】
次に、記録・再生動作データ処理フローについて説明する。図５は、本実施例に係る光情報記録再生装置における記録、再生時のデータ処理フロー図を示したものであり、図５（ａ）は、入出力制御回路９０において記録（ユーザ）データ受信Ｓ４１１後、空間光変調器２１２上の２次元データに変換するまでの信号生成回路８６での記録データ処理フローを示しており、図５（ｂ）は撮像素子（光検出器）２２５で２次元データ（再生画像）を検出後、入出力制御回路９０における再生データ送信（図４（ｃ）のＳ４２３に対応）までの信号処理回路８５での再生データ処理フローを示している。【００４５】
図５（ａ）を用いて記録時のデータ処理について説明する。ユーザデータを受信（Ｓ５０１）すると、複数のデータ列に分割、再生時エラー検出が行えるように各データ列をＣＲＣ（Ｃｙｃｌｉｃ  Ｒｅｄｕｎｄａｎｃｙ  Ｃｈｅｃｋ）化（Ｓ５０２）し、オンピクセル数とオフピクセル数をほぼ等しくし、同一パターンの繰り返しを防ぐことを目的にデータ列に擬似乱数データ列を加えるスクランブル（Ｓ５０３）を施した後、再生時エラー訂正が行えるようにリード・ソロモン符号等の誤り訂正符号化（Ｓ５０４）を行う。次にこのデータ列をＭ×Ｎの２次元データに変換し、それを１ページデータ分繰返すことで１ページ分の２次元データ（Ｓ５０５）を構成する。このように構成した２次元データに対して再生時の画像位置検出や画像歪補正での基準となるマーカーを付加（Ｓ５０６）し、空間光変調器２１２にデータを転送（Ｓ５０７）する。【００４６】
次に図５（ｂ）を用いて再生時のデータ処理フローについて説明する。撮像素子（光検出器）２２５で検出された画像データ（再生画像データ）が信号処理回路８５に転送（Ｓ５１１）される。この画像データに含まれるマーカーを基準に画像位置を検出（Ｓ５１２）し、画像の傾き・倍率・ディストーションなどの歪みを補正（Ｓ５１３）した後、２値化処理（Ｓ５１４）を行い、マーカーを除去（Ｓ５１５）することで１ページ分の２次元データを取得（Ｓ５１６）する。このようにして得られた２次元データを複数のデータ列に変換した後、誤り訂正処理（Ｓ５１７）を行い、パリティデータ列を取り除く。次にスクランブル解除処理（Ｓ５１８）を施し、ＣＲＣによる誤り検出処理（Ｓ５１９）を行ってＣＲＣパリティを削除した後にユーザデータを入出力制御回路９０経由で送信（Ｓ５２０）する。【００４７】
次に、信号生成回路について説明する。図６は、本実施例に係る光情報記録再生装置１０の信号生成回路８６のブロック図である。入出力制御回路９０にユーザデータの入力が開始されると、入出力制御回路９０はコントローラ８９にユーザデータの入力が開始されたことを通知する。コントローラ８９は本通知を受け、信号生成回路８６に入出力制御回路９０から入力される１ページ分のデータを記録処理するよう命ずる。コントローラ８９からの処理命令は制御用ライン６０８を経由し、信号生成回路８６内サブコントローラ６０１に通知される。本通知を受け、サブコントローラ６０１は各信号処理回路を並列に動作させるよう制御用ライン６０８を介して各信号処理回路の制御を行う。先ずメモリ制御回路６０３に、データライン６０９を介して入出力制御回路９０から入力されるユーザデータをメモリ６０２に格納するよう制御する。メモリ６０２に格納したユーザデータが、ある一定量に達すると、ＣＲＣ演算回路６０４でユーザデータをＣＲＣ化する制御を行う。次にＣＲＣ化したデータに、スクランブル回路６０５で擬似乱数データ列を加えるスクランブル化を施し、誤り訂正符号化回路６０６でパリティデータ列を加える誤り訂正符号化する制御を行う。最後にピックアップインターフェース回路６０７にメモリ６０２から誤り訂正符号化したデータを空間光変調器２１２上の２次元データの並び順で読み出させ、再生時に基準となるマーカーを付加した後、ピックアップ１１内の空間光変調器２１２に２次元データを転送する。【００４８】
次に、信号処理回路について説明する。図７は、本実施例に係る光情報記録再生装置１０における信号処理回路８５のブロック図である。コントローラ８９はピックアップ１１内の撮像素子２２５が画像データを検出すると、信号処理回路８５にピックアップ１１から入力される１ページ分のデータを再生処理するよう命ずる。コントローラ８９からの処理命令は制御用ライン７１１を経由し、信号処理回路８５内サブコントローラ８０１に通知される。本通知を受け、サブコントローラ７０１は各信号処理回路を並列に動作させるよう制御用ライン７１１を介して各信号処理回路の制御を行う。先ず、メモリ制御回路７０３に、データライン７１２を介して、ピックアップ１１からピックアップインターフェース回路７１０を経由して入力される画像データをメモリ７０２に格納するよう制御する。メモリ７０２に格納されたデータがある一定量に達すると、画像位置検出回路７０９でメモリ７０２に格納された画像データ内からマーカーを検出して有効データ範囲を抽出する制御を行う。次に検出されたマーカーを用いて画像歪み補正回路７０８で、画像の傾き・倍率・ディストーションなどの歪み補正を行い、画像データを期待される２次元データのサイズに変換する制御する。サイズ変換された２次元データを構成する複数ビットの各ビットデータを、２値化回路７０７において“０”、“１”判定する２値化し、メモリ７０２上に再生データの出力の並びでデータを格納する制御を行う。次に誤り訂正回路７０６で各データ列に含まれる誤りを訂正し、スクランブル解除回路７０５で擬似乱数データ列を加えるスクランブルを解除した後、ＣＲＣ演算回路７０４でメモリ７０２上のユーザデータ内に誤りが含まれない確認を行う。その後、入出力制御回路９０にメモリ７０２からユーザデータを転送する。【００４９】
次に、位置誤差信号検出のための空間フィルタ２１４の構成について説明する。本実施例における記録媒体の位置誤差信号を検出する方法について図８と図９を用いて詳細に説明する。ここで位置誤差とは、再生対象となる光情報記録媒体１内の情報の位置（再生対象となるホログラムが存在する位置）と、光学系（例えば対物レンズ２１５）との相対的な位置のずれのことである。以降、図１に示すように、光情報記録媒体１上のブックの記録／再生方向（ディスクの場合は例えば周方向）をｘ方向、光情報記録媒体１の面内でｘ方向と垂直な方向（半径方向）をｙ方向、対物レンズ２１５の光軸方向（フォーカス方向）または光情報記録媒体１の垂直方向をｚ方向とし、各方向に対する位置誤差信号をそれぞれＳＸ、ＳＹ、ＳＺとする。【００５０】
図８は、本実施例に係る光情報記録再生装置におけるピックアップ１１内の空間フィルタ２１４の一例を示す構成図であり、図８（ａ）は空間フィルタ２１４の開口部１０１の中心を通るｘ方向ラインにおける断面図、図８（ｂ）は空間フィルタ３１４を光情報記録媒体１側から見た平面図を表す。空間フィルタ２１４は中央に開口部１０１を、その周辺に反射部１０２を有する構成とする。また、反射部１０２による反射光の光路には、レンズ１０３ａ、ｂ、ｃ、ｄおよび光検出器１０４ａ、ｂ、ｃ、ｄが設けられている。さらに、記録や再生時において空間フィルタ２１４の位置を検出する為の位置検出センサ２２７を有している。図１で示したように、再生用参照光２０６によって再生された再生光２０６は前述したように対物レンズ２１５を透過し、リレーレンズ２１３によって空間フィルタ２１４の開口部１０１へと図８（ａ）の下方から集光される。【００５１】
図９は、本実施例に係る光情報記録再生装置におけるピックアップ内の空間フィルタ２１４近傍の再生光２０６の光線図を示し、図９（ａ）はｘ方向の位置誤差がある場合（ｙ方向も同様の図となる）、図９（ｂ）はｚ方向の位置誤差がある場合の光線図を示している。開口部１０１は位置誤差がない場合の再生光２０６ａを通過させる。一方、位置誤差がある場合、例えばｘ軸の正方向にずれがある場合（２０６ｂ）、再生光は反射部１０２によって反射され、レンズ１０３ａを通過して光検出器１０４ａで検出される。ｘ軸の負の方向にずれがある場合（２０６ｃ）、再生光は反射部１０２によって反射され、レンズ１０３ｂを通過して光検出器１０４ｂで検出される。ｙ方向のずれの場合も同様に、レンズ１０３ｃ（ｄ）を通過して光検出器１０４ｃ（ｄ）で検出される。また、ｚ方向にずれがある場合（２０６ｄ）、再生光は反射部１０２によって反射され、レンズ１０３ａ、ｂ、ｃ、ｄを通過して光検出器１０４ａ、ｂ、ｃ、ｄで検出される。このように、再生対象となる光情報記録媒体１内の情報（ホログラム）の、対物レンズ２１５に対する位置誤差がある場合は、空間フィルタ２１４の反射部１０２での再生光２０６の反射光が光検出器１０４ａ、ｂ、ｃ、ｄによって検出される。【００５２】
ここで、光検出器１０４ａ、ｂ、ｃ、ｄから得られる信号をそれぞれＡ、Ｂ、Ｃ、Ｄとする。位置誤差信号ＳＸ、ＳＹ、ＳＺは例えばそれぞれ以下の式で得られる。【００５３】
（数１）ＳＸ＝Ａ−Ｂ
（数２）ＳＹ＝Ｃ−Ｄ
（数３）ＳＺ＝Ａ＋Ｂ＋Ｃ＋Ｄ
上記の位置誤差信号の演算は例えば光情報記録再生装置のサーボ信号生成回路８３で行い、その算出した結果は例えば、図１０の（ａ）はｘ方向（周方向）の位置誤差、（ｂ）はｙ方向（半径）方向の位置誤差、（ｃ）はｚ方向（フォーカス方向）の位置誤差を示す位置誤差信号となる。この算出した各位置誤差信号が０となるようにアクチュエータ２２６を例えばサーボ制御回路８４により駆動することで、空間フィルタ２１４の位置決め行う。なお、本発明において、位置誤差信号の取得方法は図８，９等に限られず、その他の構成を用いてもよい。例えば、空間フィルタ２１４に入射する再生光２０６に分割波長板を通し位置誤差を生成する部分のみ偏光をかえてＰＢＳ（Ｐｏｌａｒｉｚａｔｉｏｎ  Ｂｅａｍ  Ｓｐｌｉｔｔｅｒ）に入射することで位置誤差信号の取得をしても良いし、他の方法であっても構わない。また、必ずしも全ての方向の位置誤差信号取得する必要はない。【００５４】
一方、例えばページとページの間（例えば、後述する図１１の領域Ｙ）やブック間移動の間（例えば、シーク処理の際に、ピックアップまたは光情報記録媒体を移動させている間）のように再生光２０６が十分に得られない場合等には、位置検出センサ２２７の出力に応じてサーボ制御回路８４でアクチュエータ２２６を駆動することにより空間フィルタ２１４の位置を一定範囲内（例えば目標位置±１ｕｍ、本実施例では目標位置は位置誤差が最小となる０umとする。）で制御を行う。【００５５】
ここで、再生光が十分に得られない場合等において、再生光による位置誤差信号に基づいて空間フィルタを制御しようとすると、例えば、再生対象である所望のページまたはブックとは異なるページまたはブックに空間フィルタが位置付けされてしまい、この場合、リトライ処理等が必要になり、高速な位置づけが出来なくなるおそれがある。一方、例えばページとページの間やブック間移動の間のように再生光２０６が十分に得られない場合等に、位置検出センサ信号に基づいて、空間フィルタを制御することで、上記のような事態を回避することが可能となり、高速な位置づけが可能となる。また、次の位置誤差信号に基づく制御にスムーズに移行することが可能となる。本実施例における位置検出センサ２２７は例えばＰｏｓｉｔｉｏｎ  Ｓｅｎｓｉｔｉｖｅ  Ｄｅｔｅｃｔｏｒ(ＰＳＤ)により実現することが可能であるが、空間フィルタの位置を検出できるのであればどのようなセンサや素子であっても構わない。このことは以降の実施例においても同様である。【００５６】
以上本実施例によれば、位置誤差信号と位置検出センサ信号に基づいて、空間フィルタを制御することで、高速かつ正確な位置決めが可能となる。【００５７】
また、ホログラム記録技術を用いる場合であっても、記録媒体に新たにサーボ情報エリアを設けることなく、正確な位置決めを可能となる。
【実施例２】
【００５８】
本発明の第２の実施例について図１１を用いて説明する。なお、実施例１に記載され本実施例に未記載の事項は特段の事情が無い限り本実施例にも適用することができる。本実施例では、空間フィルタ２１４の位置を制御する別の一例について説明する。なお、光情報記録再生装置の全体構成や動作フロー等は実施例１と同様であり、本実施例では説明を省略する。【００５９】
図１１は本実施例に係る光情報記録再生装置におけるピックアップ内の空間フィルタの制御の概略図である。実施例１の図３で示したホログラムの記録過程で説明したようにガルバノミラー２１９によって光情報記録媒体１に入射する参照光の入射角度を微小量（例えば、０．１度）だけ回転させながら、ページの記録を行う。このため複数のブックが記録された光情報記録媒体１に再生用の参照光を照射すると再生光２０６は図１１（ａ）に示すようにある参照光角度（例えばΦ１、Φ２・・ΦＮ、但しＮは自然数）から得られる。この再生光２０６の内、空間フィルタ２１４の開口部１０１を通過しない信号を用いて例えば光情報記録再生装置のサーボ信号生成回路８３にて位置誤差信号を生成し、ページが記録されていない領域Ｙにはページが無いため位置誤差信号が生成されない。そこで、図１１（ｂ）の制御の切換え信号により、図１１（ｃ）のようにある参照光角度（例えばΦ１）における再生過程（図中では再生と記載）と参照光角度を制御するガルバノミラー２１９の移動過程（図中では移動と記載）の２つの過程に応じて、図１１（ｄ）に示すように再生光２０６から位置誤差信号が得られる場合には位置誤差信号でアクチュエータ２２６を例えばサーボ制御回路８４により駆動（図１１（ｄ）ではＦＢ制御と記載）し、例えばページとページの間やブック間移動の間のようにホログラムからの再生光２０６で位置誤差信号の演算ができない場合には位置検出センサ２２７の出力に応じてサーボ制御回路８４でアクチュエータ２２６を駆動（図１１（ｄ）ではＨｏｌｄ制御と記載）することで空間フィルタ２１４の位置を一定範囲内（例えば目標位置±１ｕｍ、本実施例では目標位置は位置誤差が最小となる０um）となるように制御を行う。【００６０】
ここで、位置検出センサ２２７を用いて空間フィルタ２１４の位置を検出することで、アクチュエータ２２６の駆動信号は図１１（ｅ）のように再生過程と移動過程ともに位置制御を実現できるが、位置検出センサ２２７を用いて位置検出しないのであれば図１１（ｆ）のように移動過程は単純な保持（Ｈｏｌｄ）制御（例えば電圧駆動であればアクチュエータ２２６の駆動信号の電圧を一定値に保持）やフィードフォワード制御で位置制御を実現することも可能である。但し、位置検出センサ２２７を用いて空間フィルタ２１４を位置制御した方が振動等の外乱に対して固定制御を維持し易いという効果がある。【００６１】
また、図１１（ｂ）の制御切換え信号は、例えば参照光角度を制御するガルバノミラー２１９が次の参照角度（例えばΦ2）の移動と連動しても良いし、光検出器２２５の検出光量にあるしきい値（例えば最大光量の２０％）を持たせて光量がしきい値を下回ったら論理を切換える信号を信号生成回路８６で生成しても良い。また、図１１（ｅ）、（ｆ）の例では再生過程と移動過程でアクチュエータの駆動周波数が異なるように記載しているが、これは制御に用いる信号帯域を変えているためである。この駆動周波数は特に限定するものではなく、信号帯域を一致させても良い。【００６２】
さらに、図１７は、図１１と異なり、制御切換え信号を用いないで空間フィルタ２１４の位置制御を行う例である。複数のブックが記録された光情報記録媒体１に再生用の参照光を照射すると再生光２０６は図１７（ａ）のページと記載した領域から得られる。この再生光２０６の内空間フィルタ２１４の開口部１０１を通過しない信号を用いて例えば信号生成回路８６で位置誤差信号を生成するが、ページが記録されていない領域からは位置誤差信号が生成されない或いはできない。そのため、再生光２０６に基づく位置誤差信号は図１７（ｂ）のように間欠的な信号となる。また、位置検出センサ２２７の出力は再生光２０６に関係ないため図１７（ｃ）のようになる。これら図１７（ｂ）、（ｃ）を例えばサーボ信号生成回路８３により重みづけ加算（図１７では１：１で加算）すれば、図１７（ｄ）のようになるため、図１１のような制御を切り換える必要がなくなる。この重みづけ加算による位置誤差信号でアクチュエータ２２６を例えばサーボ制御回路８４により駆動することで、空間フィルタ２１４の位置決めを行うことも可能である。これは、実施例３などにも同様である。【００６３】
図１３（ａ）にブック内での再生時の空間フィルタの位置制御について動作フローを示す。再生対象のブックを再生する場合、アクセス制御回路８１を制御して、ピックアップ１１ならびに再生用参照光光学系１２の位置を光情報記録媒体の所定の位置に位置づけするシーク動作（Ｓ１３１１）を行う。このとき、光情報記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。次に、ガルバノミラー２１９によって光情報記録媒体１に入射する参照光の入射角度を微小量（例えば、０．１度）だけ回転させながら、ページの再生を行う（Ｓ１３１２）。さらに、ページから再生される再生光の検出は撮像素子２２５で行われ、再生光量の総和を信号生成回路８６にて生成され、この生成された再生光量が２０％以上かどうかを判定する（Ｓ１３１３）。この再生光量の低下は例えばガルバノミラー２１９が回転するなどにより生じることとなる。Ｓ１３１３で判定された結果、２０％以上あれば信号生成回路８６で位置誤差信号を生成し、この位置誤差信号にサーボ制御回路８４がアクチュエータ２２６を駆動することで空間フィルタ２１４の位置制御を行う（Ｓ１３１４）。ここで、Ｓ１３１３で判定された結果、２０％未満であれば位置検出センサ２２７の出力に応じてサーボ制御回路８４でアクチュエータ２２６を駆動する（Ｓ１３１５）。【００６４】
また、図１３（ｂ）に示すように、例えば参照光角度を制御するガルバノミラー２１９が次の参照角度（例えばΦ2）に移動中か否かで判断するようにしても良い（Ｓ１３２２）。例えば、コントローラが、次の参照角度（例えばΦ2）に移動する信号の出力を契機に、制御の切換え信号を出力してもよい。Ｓ１３２１、Ｓ１３２３、Ｓ１３２４は、それぞれＳ１３１１，Ｓ１３１４，Ｓ１３１５と同様であるため説明を省略する。【００６５】
また、図１３（ｃ）に示すように例えば制御残差が所定量以下（例えば５ｕｍ以下）となるかを判別し（Ｓ１３３２）、制御残差が所定量以下となったら位置検出センサ２２７の出力に応じてサーボ制御回路８４でアクチュエータ２２６を駆動しても良い（Ｓ１３３４）。ここでいう制御残差は、位置誤差信号を用いたときの空間フィルタ２１４の制御残差である。制御残差の量は、位置誤差信号から計算してもよい。【００６６】
なお、Ｓ１３３１，Ｓ１３３３、Ｓ１３３４は、それぞれＳ１３２１、Ｓ１３２３、Ｓ１３２４と同様であるため説明を省略する。【００６７】
以上本実施例によれば、制御の切換え信号に応じて、再生光が得られる領域では位置誤差信号に基づく制御を行い、再生光が得られないまたは少ない領域ではＰＳＤ等の位置検出センサの位置検出センサ信号に基づく制御をすることで実施例１に比べて領域Ｙにおける空間フィルタの制御が容易となる。【００６８】
さらに、例えば、現在再生しているブックから別のブックに移動する際に、例えば面振れが５０ｕｍｐｐ程度であれば空間フィルタの２１４の制御のＳＺは位置検出センサ２２７による制御に切換えた後に、当該ブックに移動した後、フィードバック制御を適用することで制御を切ってから制御するよりも高速再生を実現できる。このことは他の実施例においても同様である。
【実施例３】
【００６９】
本発明の第３の実施例について図１２を用いて説明する。なお、実施例１に記載され本実施例に未記載の事項は特段の事情が無い限り本実施例にも適用することができる。なお、光情報記録再生装置の全体構成や動作フロー等は実施例１と同様であり、本実施例では説明を省略する。【００７０】
図１２は本実施例に係る光情報記録再生装置におけるピックアップ内の空間フィルタの制御の概略図である。実施例１の図３で示したホログラムの記録過程で説明したようにガルバノミラー２１９によって光情報記録媒体１に入射する参照光の入射角度を微小量（例えば、０．１度）だけ回転してさせながら、ページの記録を行う。このため複数のブックが記録された光情報記録媒体１に再生用の参照光を照射すると再生光２０６は図１２（ａ）に示すようにある参照光角度（例えばΦ１、Φ２・・ΦＮ、但しＮは自然数）から得られる。この再生光２０６の内、例えば、空間フィルタ２１４の開口部１０１を通過しない信号を用いて例えば信号生成回路８６で位置誤差信号を生成するが、ページが記録されていない領域Ｙからは位置誤差信号が生成されない。【００７１】
そこで、図１３（ｂ）に示した制御の切換えにより、図１２（ｃ）のようにページの再生と参照光角度を制御するガルバノミラー２１９の移動に応じて、図１２（ｄ）に示すように、あるブックの再生する最初のページ（例えば最もガルバノミラー２１９の回転角度の低角のページ(同図では1ページと記載)、高角ページ（同図ではＮページ）或いはブックの途中から再生するのであれば当該ページ）の再生光２０６から位置誤差信号を生成し、この位置誤差信号でアクチュエータ２２６を例えばサーボ制御回路８４により駆動することで、次ページ以降の再生では位置検出センサ２２７の出力に応じてサーボ制御回路８４でアクチュエータ２２６を駆動することにより空間フィルタ２１４の位置決めを行う。この制御の切換えのために、例えば参照光角度を制御するガルバノミラー２１９が次のページに回転と連動する信号を用いても良いし、光検出器２２５の検出光量にあるしきい値（例えば最大光量の２０％）を下回ったら論理を切換える信号を用いても良い。【００７２】
ここで、空間フィルタ２１４の位置を位置検出センサ２２７により検出し、位置検出センサ２２７の出力に応じてサーボ制御回路８４でアクチュエータ２２６を駆動すれば、アクチュエータ２２６の駆動信号は図１２（ｅ）のようになり、位置検出センサ２２７を用いないのであれば図１２（ｆ）のように初回の位置決め以降は単純な保持制御（電圧駆動であれば電圧を一定値に保持）とする。また、図１２（ｂ）の制御の切換え信号としては、例えば参照光角度を制御するガルバノミラー２１９が次の参照角度（例えばΦ2）に移動と同期しても良いし、光検出器２２５の検出光量にあるしきい値（例えば最大光量の２０％）を持たせて光量がしきい値を下回ったら論理を切換える信号を例えば信号生成回路８６で生成して使っても良い。【００７３】
図１４に本実施例におけるブック内での再生時の空間フィルタの位置制御について動作フローを示す。
再生対象のブックを再生する場合、アクセス制御回路８１を制御して、ピックアップ１１ならびに再生用参照光光学系１２の位置を光情報記録媒体の所定の位置に位置づけするシーク動作（Ｓ１４１１）を行う。このとき、光情報記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。次に、ガルバノミラー２１９によって光情報記録媒体１に入射する参照光の入射角度を微小量（例えば、０．１度）だけ回転させながら、ページの再生を行う（Ｓ１４１２）。ここで、再生対象のブックのあるページ（例えば、ブックの低角度側の所定量のページ）の再生が完了したか否かを判定する（Ｓ１４１３）。Ｓ１４１３で判定された結果、例えば１ページ以下であれば再生光２０６から信号生成回路８６で位置誤差信号を生成し、この位置誤差信号にてサーボ制御回路８４でアクチュエータ２２６を駆動することで空間フィルタ２１４の位置制御を行う（Ｓ１４１４）。ここで、Ｓ１４１３で判定された結果、既に１ページ再生しているのであれば再生光２０６からでは無く位置検出センサ２２７の出力に応じてサーボ制御回路８４でアクチュエータ２２６を駆動する（Ｓ１３１５）。なお、Ｓ１４１３での１ページ以下か否かの判断は１ページには限られない。【００７４】
本実施例によれば、ホログラムの再生光に基づく制御は例えば最初のページのみで、後はＰＳＤ等による保持制御をすることで図１１（ｃ）に示したように再生と移動の２つの過程毎に制御を切換える必要が無くなるため実施例２と比べて光情報記録媒体のさらなる高速再生を実現することができる。
【実施例４】
【００７５】
本発明の第４の実施例について図１５を用いて説明する。なお、実施例１に記載され本実施例に未記載の事項は特段の事情が無い限り本実施例にも適用することができる。なお、光情報記録再生装置の全体構成や動作フロー等は実施例１と同様であり、本実施例では説明を省略する。【００７６】
本実施例において、特許文献２で開示されているようにショートスタックを、慣性の大きな光情報記録媒体１や回転モータ５０の位置を変更するのでは無く、慣性の小さい空間フィルタ２１４の位置を調整することで高速再生を実現する。図１５は本実施例に係る光情報記録再生装置におけるピックアップ内の空間フィルタの制御の概略図である。ここで、本実施例では１００ページを単位としてショートスタックし、１つのブックは４つのショートスタックで構成され、ページの大きさは８００ｕｍ×４００ｕｍとする。【００７７】
光情報記録媒体１に参照光を照射し、当該ブック内の当該ショートスタックに記録された最後のページ（本実施例では１００ページ目）のホログラムの再生が終了し、次のショートスタックを再生するために光情報記録媒体１のｘ方向に高速に空間フィルタ２１４を位置決めする方法について説明する。【００７８】
複数のブックが記録された光情報記録媒体１に再生用の参照光を照射すると再生光２０６の内、例えば、空間フィルタ２１４の開口部１０１を通過しない信号を用いて位置誤差信号を生成し、この位置誤差信号が０になるようにアクチュエータ２２６を例えばサーボ制御回路８４により駆動することで空間フィルタ２１４の位置決めを行う。ここで、例えば図１５の（ｉ）の１００ページ目の再生から（ｉｉ）の１ページ目（再生ページ総数では１０１ページ目））を再生するためにｘ方向の位置誤差信号ＳＸを用いて空間フィルタ２１４の制御目標を０から例えば２００ｕｍを目標に変更することで、空間フィルタ２１４を図１５内の（ｉ）の１００ページ目の再生のために最適な位置から次の図１５内の（ｉｉ）の１ページ目の再生に最適な位置近傍（例えば±１０ｕｍ）に空間フィルタ２１４を移動し、位置決めする。なお、空間フィルタの当該移動中は、参照光角度は１００ページ目に対応する角度とする。当該移動後に、参照光角度を１０１ページ目に対応する角度に設定し、制御目標を０に戻す。【００７９】
図１５の（ｂ）に、位置決め目標に対して、位置誤差信号に基づいて空間フィルタの位置決めをする場合の制御のプロファイルの一例を示す。制御目標が０で１００ページ目の再生をする場合、図１５（ｂ）上では（ｉ−１）に位置する。ここから、制御目標を０から例えば２００ｕｍに変更し、位置誤差信号ＳＸを用いて空間フィルタ２１４を駆動すると、（ｉ−１）から（ｉ−２）に移動する。そして、制御目標を２００ｕｍから０に変更し、参照光角度を１０１ページ目に対応する角度に設定すると、（ｉ−２）から（ｉｉ−１）に移動する。【００８０】
なお、ショートスタックの移動量例えば２００ｕｍという情報は、例えば、装置内のメモリ、光情報記録媒体またはカートリッジ等に記録しておき、再生の際にショートスタックの移動量の情報を読み出してもよい。【００８１】
また、フィードバック制御の制御目標を変更するのでは無く、フィードフォワード制御でＳＸから換算される２００ｕｍに相当する駆動電圧で空間フィルタ２１４を移動させても良い。この結果、例えば図１５内の（ｉｉ）のショートスタックの１ページ目を再生するために参照光角度をガルバノミラー２１９で所定の角度を移動すると、図１５内の（ｉｉ）のショートスタックの最初のページの再生に適した位置近傍に既に位置決めされているため再生光２０６が得られる。この再生光２０６から位置誤差信号ＳＸを生成し、この位置誤差信号が０になるようにアクチュエータ２２６を駆動することで空間フィルタ２１４を図１５（ｉｉ）のショートスタックのホログラムの再生に最適な制御を実現することができる。この方法で例えばｘ方向にショートスタックされたホログラムを再生することで、ガルバノミラー２１９の移動時間と並行して空間フィルタ２１４の位置決めも可能となり、光情報記録媒体の高密度化と高速再生とを実現することができる。【００８２】
また、図１５を図１８のようにしても同様の効果が得られる。図１８は図１５とは異なり、参照光角度を次の再生対象となるページに対応する角度に設定した後に、空間フィルタを移動する点で異なる。【００８３】
例えば図１８内の（ｉ）の１００ページ目の再生から（ｉｉ）の１ページ目（再生ページ総数では１０１ページ目））を再生するために、空間フィルタ２１４のｘ軸方向のフィードバック制御を切り、次にガルバノミラー２１９によって光情報記録媒体１に入射する参照光角度を図１８内の（ｉｉ）の１ページ目に調整した後、ｘ方向の位置誤差信号ＳＸを用いて空間フィルタ２１４の制御目標を０から例えば２００ｕｍを目標に変更することで、空間フィルタ２１４を図１５内の（ｉ）の１００ページ目の再生のために最適な位置から次の図１８内の（ｉｉ）の１ページ目の再生に最適な位置近傍（例えば±１０ｕｍ）に空間フィルタ２１４を移動する。ここで、フィードバック制御により位置誤差信号ＳＸにて空間フィルタ２１４の位置決めを行うことで図１８内の（ｉｉ）の１ページ目に最適な位置決めを実現しても良い。【００８４】
図１８の（ｂ）に、位置決め目標に対して、位置誤差信号に基づいて空間フィルタの位置決めをする場合の制御のプロファイルの一例を示す。制御目標が０で１００ページ目の再生をする場合、図１８（ｂ）上では（ｉ−１）に位置する。ここから、制御目標を０から例えば２００ｕｍに変更するとともに、参照光角度を１０１ページ目に対応する角度に設定すると、（ｉ−２）に向かう。（ｉ−２）に近付くと、１００ページ目に対応する再生光量は小さくなっていく一方、１０１ページ目に対応する再生光量が大きくなる。そのため、１００ページ目に対応する再生光量が極めて小さくなると、図１８（ｂ）の（ｉ−３）となる。この際、制御目標を２００ｕｍから変更してもよい。この後、制御目標を０に変更することで、（ｉ−３）から（ｉｉ−１）に移動することが可能となり、１０１ページ目に位置づけが可能となる。【００８５】
図１６に本実施例におけるブック内での再生時の空間フィルタの位置移動について動作フローを示す。再生対象のブックを再生する場合、アクセス制御回路８１を制御して、ピックアップ１１ならびに再生用参照光光学系１２の位置を光情報記録媒体の所定の位置に位置づけするシーク動作（Ｓ１６１１）を行う。このとき、光情報記録媒体１がアドレス情報を持つ場合には、アドレス情報を再生し、目的の位置に位置づけされているか確認し、目的の位置に配置されていなければ、所定の位置とのずれ量を算出し、再度位置づけする動作を繰り返す。次に、ガルバノミラー２１９によって光情報記録媒体１に入射する参照光の入射角度を微小量（例えば、０．１度）だけ回転させながら、ページの再生を行う（Ｓ１６１２）。ここで、ショートスタックでブックが光情報記録媒体１に記録されている場合には、再生ページ数と単位ショートスタック数（本例では１００ページとする）を比較判定する（Ｓ１６１３）。Ｓ１６１３で判定された結果、例えば１００ページ以下であれば再生光２０６から信号生成回路８６で位置誤差信号を生成し、この位置誤差信号を用いてサーボ制御回路８４がアクチュエータ２２６を駆動することで空間フィルタ２１４の位置制御を行う（Ｓ１６１４）。ここで、Ｓ１６１３で判定された結果、次のガルバノミラー２１９を移動させて例えば１０１ページ目を再生する場合には、位置検出センサ２２７の出力に応じてサーボ制御回路８４でアクチュエータ２２６を駆動することで空間フィルタ２１４の位置制御を行う（Ｓ１６１５）。【００８６】
次に、空間フィルタ２１４をＸ方向に移動させるためにＸ方向の位置制御を実施する（Ｓ１６１６）。その後、１００ページ目の再生光２０６から得られる位置誤差信号に基づいて２００ｕｍ（ここではホログラムの大きさを４００×８００ｕｍとしている）空間フィルタ２１４を移動させる（Ｓ１６１７）。ここで、上記比較判定は、再生ページ数から単位ショートスタック数の整数倍を引いた値が１か否かで判定してもよい。この場合、値が２以上であれば、Ｓ１６１４に移り、値が１であれば、Ｓ１６１５に移る。【００８７】
また、図２０に示すように、次のブックの再生を行う場合において、空間フィルタの駆動量と空間フィルタの可動範囲と比較（Ｓ２０１１）して空間フィルタの駆動量の方が小さければ空間フィルタ２１４にて位置づけし（Ｓ２０１２）、空間フィルタ２１４の可動範囲を超えていれば回転モータ５０にて位置づけを行ってもよい（Ｓ２０１３）。これにより、次のブックの再生を行う場合においても、高速再生が可能となる。【００８８】
また、半径方向への位置づけは、再生光２０６の内空間フィルタ２１４の開口部１０１を通過しない信号を用いて位置誤差信号を生成し、この位置誤差信号に基づいて図２１に示すように半径方向の移動を行うことも同構成で実現することが可能となる。【００８９】
このように本実施例によれば、ショートスタックのホログラムの高速再生が可能となる。
【実施例５】
【００９０】
本発明の第５の実施例について図１９を用いて説明する。なお、実施例１に記載され本実施例に未記載の事項は特段の事情が無い限り本実施例にも適用することができる。本実施例では、空間フィルタ２１４の制御の別の一例について説明する。なお、光情報記録再生装置の全体構成や動作フロー等は実施例１と同様であり、本実施例では説明を省略する。【００９１】
図１９に本実施例における記録時の空間フィルタについて動作フローを示す。【００９２】
記録または再生の準備が完了すると、記録か再生を行うかが判断される（Ｓ１９１１）。記録を行うと判断されると、位置検出センサ２２７の出力に応じてサーボ制御回路８４でアクチュエータ２２６を駆動することで空間フィルタ２１４の位置制御を行う（Ｓ１９１２）。そして、記録が開始される（Ｓ１９１３）。安定記録のためには、記録中、空間フィルタ２１４の位置は固定制御されていることが望ましい、そのため、少なくとも、信号光と参照光を光情報記録媒体に照射することでユーザデータ等の情報を記録している間は、空間フィルタ２１４の位置は固定制御されていることが望ましい。Ｓ１９１１で再生を行うと判断された再生処理が開始される。【００９３】
本実施例によれば安定記録と高速再生を実現出来る。【００９４】
なお、本発明は角度多重方式だけでなくシフト多重方式等他の方式にも適用可能である。【００９５】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。【００９６】
また、上記の各構成、機能、処理部、処理手段等は、それらの一部または全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。  
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００９７】
１０１…開口部、１０２…反射部、１０３ａ、ｂ、ｃ、ｄ…レンズ、１０４ａ、ｂ、ｃ、ｄ…光検出器、
１…光情報記録媒体、１０…光情報記録再生装置、１１…ピックアップ、
１２…再生用参照光光学系、１３…キュア光学系、
１４…ディスク回転角度検出用光学系、５０…回転モータ、
８１…アクセス制御回路、８２…光源駆動回路、８３…サーボ信号生成回路、
８４…サーボ制御回路、８５…信号処理回路、８６…信号生成回路、
８７…シャッタ制御回路、８８…ディスク回転モータ制御回路、
８９…コントローラ、９０…入出力制御回路、９１…外部制御装置、
２０１…光源、２０２…コリメートレンズ、２０３…シャッタ、
２０４…１／２波長板、２０５…偏光ビームスプリッタ、
２０６…信号光（再生光）、２０６ａ、ｂ、ｃ、ｄ…再生光、２０７…参照光、
２０８…ビームエキスパンダ、２０９…フェーズ（位相）マスク、
２１０…リレーレンズ、２１１…偏光ビームスプリッタ、
２１２…空間光変調器、２１３…リレーレンズ、２１４…空間フィルタ、
２１５…対物レンズ、２１６…偏光方向変換素子、２１７…ミラー、
２１８…ミラー、２１９…ガルバノミラー、２２０…アクチュエータ、
２２１…レンズ、２２２…レンズ、２２３…アクチュエータ、
２２４…ガルバノミラー、２２５…撮像素子、２２６…アクチュエータ、２２７…位置検出センサ
【図１】
2015114743.tif 000003
【図２】
2015114743.tif 000004
【図３】
2015114743.tif 000005
【図４】
2015114743.tif 000006
【図５】
2015114743.tif 000007
【図６】
2015114743.tif 000008
【図７】
2015114743.tif 000009
【図８】
2015114743.tif 000010
【図９】
2015114743.tif 000011
【図１０】
2015114743.tif 000012
【図１１】
2015114743.tif 000013
【図１２】
2015114743.tif 000014
【図１３】
2015114743.tif 000015
【図１４】
2015114743.tif 000016
【図１５】
2015114743.tif 000017
【図１６】
2015114743.tif 000018
【図１７】
2015114743.tif 000019
【図１８】
2015114743.tif 000020
【図１９】
2015114743.tif 000021
【図２０】
2015114743.tif 000022
【図２１】
2015114743.tif 000023
【手続補正書】
【提出日】平成28年6月16日(2016.6.16)
【手続補正１】
【補正対象書類名】特許請求の範囲
【補正対象項目名】全文
【補正方法】変更
【補正の内容】
【特許請求の範囲】
【請求項１】
信号光と参照光との干渉パターンがホログラムとして記録されている光情報記録媒体から情報を再生する、および／あるいは光情報記録媒体に情報を記録する光情報装置であって、
光ビームを出射する光学系と、
前記光学系からの光ビームを光情報記録媒体に照射したときに得られる再生光の少なくとも一部を通過させる開口部と、
前記再生光の少なくとも一部を検出する第１の検出部と、
前記開口部の位置を検出する第２の検出部と、
前記第１の検出部から得られる第１の信号と前記第２の検出部から得られる第２の信号に基づいて、前記開口部の位置を制御する制御部と、を備え、
前記制御部は、前記第１の信号と前記第２の信号を切換えることにより前記開口部の制御状態を切り換えることを特徴とする光情報装置。
【請求項２】
請求項１記載の光情報装置であって、
前記制御部は、前記位置検出信号に基づいて前記開口部の位置を固定制御する制御状態を有することを特徴とする光情報装置。
【請求項３】
請求項１記載の光情報装置であって、
前記再生光に基づく再生光量を検出する再生光量検出部を備え、
前記制御部は、前記再生光量検出部の検出結果に応じて、前記第１の信号と前記第２の信号を切換えることにより前記開口部の制御状態を切り換えることを特徴とする光情報装置。
【請求項４】
請求項１記載の光情報装置であって、
光情報記録媒体に入射する前記光ビームの角度を変えるための光ビーム角度可変素子を備え、
前記制御部は、前記光ビーム角度可変素子が次の角度に移動中か否かに応じて、前記第１の信号と前記第２の信号を切換えることにより前記開口部の制御状態を切り換えることを特徴とする光情報装置。
【請求項５】
請求項１記載の光情報装置であって、
前記制御部は、前記開口部の制御残差に応じて、前記第１の信号と前記第２の信号を切換えることにより前記開口部の制御状態を切り換えることを特徴とする光情報装置。
【請求項６】
請求項１記載の光情報装置であって、
前記光情報記録媒体には、複数のページを有するブックが記録されており、
前記制御部は、ブックに含まれるページの中で所定量のページの再生が完了したか否かに応じて、前記第１の信号と前記第２の信号を切換えることにより前記開口部の制御状態を切り換えることを特徴とする光情報装置。
【請求項７】
請求項１記載の光情報装置であって、
前記光情報記録媒体には、複数のショートスタックを有するブックが記録されており、
前記ショートスタックは、複数のページを有しており、
前記制御部は、ブックに含まれるページの中で再生が完了したページ数と、前記ショートスタックが有するページ数を比較し、該比較の結果に応じて、前記開口部の制御状態を切り換えることを特徴とする光情報装置。
【請求項８】
請求項１に記載の光情報装置において、
前記制御部は、前記第１の信号と前記第２の信号を加算した信号に基づいて、前記開口部の制御状態を切り換えることを特徴とする光情報装置。
【請求項９】
請求項１記載の光情報装置であって、
前記光源部から出射した光を信号光と参照光に分岐する分岐素子と、
前記信号光に２次元情報を付加するための空間光変調器と、を備え、
前記制御部は、光情報記録媒体に情報を記録するとき、前記第２の信号により前記開口部を制御することを特徴とする光情報装置。
【請求項１０】
請求項７記載の光情報装置であって、
前記光情報記録媒体を移動または回転させる媒体駆動部を備え、
前記制御部は、前記開口部の駆動量と前記開口部の可動範囲とを比較し、該比較に基づいて、前記開口部移動または、前記媒体駆動部により前記光情報記録媒体を移動または回転させる、光情報装置。
【請求項１１】
光情報記録媒体から情報を再生する、および／あるいは光情報記録媒体に情報を記録する光情報装置であって、
光ビームを出射する光学系と、
前記光学系からの光ビームを光情報記録媒体に照射したときに得られる再生光の少なくとも一部を通過させる開口部と、
前記再生光の少なくとも一部を検出する検出部と、
前記検出部から得られる第１の信号に基づいて前記開口部の位置を制御する第１の制御状態と、前記開口部の位置を固定制御または位置検出センサに基づく制御をする第２の制御状態と、を有する制御部と、
を備える光情報装置。
【請求項１２】
請求項１１に記載の光情報装置であって、
前記再生光に基づく再生光量を検出する再生光量検出部を備え、
前記制御部は、前記再生光量検出部の検出結果に応じて、前記第１の制御状態と前記第２の制御状態を切換えることを特徴とする光情報装置。
【請求項１３】
請求項１１に記載の光情報装置であって、
光情報記録媒体に入射する前記光ビームの角度を変えるための光ビーム角度可変素子を備え、
前記制御部は、前記光ビーム角度可変素子が次の角度に移動中か否かに応じて、前記第１の制御状態と前記第２の制御状態を切換えることを特徴とする光情報装置。
【請求項１４】
請求項１１に記載の光情報装置であって、
前記制御部は、前記開口部の制御残差に応じて、前記第１の制御状態と前記第２の制御状態を切換えることを特徴とする光情報装置。
【請求項１５】
請求項１１記載の光情報装置であって、
前記光情報記録媒体には、複数のページを有するブックが記録されており、
前記制御部は、ブックに含まれるページの中で所定量のページの再生が完了したか否かに応じて、前記第１の制御状態と前記第２の制御状態を切換えることを特徴とする光情報装置。
【請求項１６】
請求項１１記載の光情報装置であって、
前記光情報記録媒体には、複数のショートスタックを有するブックが記録されており、
前記ショートスタックは、複数のページを有しており、
前記制御部は、ブックに含まれるページの中で再生が完了したページ数と、前記ショートスタックが有するページ数を比較し、該比較の結果に応じて、前記第１の制御状態と前記第２の制御状態を切換えることを特徴とする光情報装置。
【請求項１７】
請求項１１に記載の光情報装置であって、
前記制御部は、光情報記録媒体に情報を記録するとき、前記第２の制御状態を実行することを特徴とする光情報装置。
【請求項１８】
信号光と参照光との干渉パターンがホログラムとして記録されている光情報記録媒体から情報を再生する、および／あるいは光情報記録媒体に情報を記録する光情報処理方法であって、
光ビームを出射する出射ステップと、
前記出射ステップで出射された光ビームを光情報記録媒体に照射したときに得られる再生光の少なくとも一部を開口部により通過させる開口ステップと、
前記再生光の少なくとも一部を検出する第１の検出ステップと、
前記開口部の位置を検出する第２の検出ステップと、
前記第１の検出ステップで得られる第１の信号と前記第２の検出ステップで得られる第２の信号に基づいて、前記開口部の位置を制御する制御ステップと、
を備える光情報処理方法。
【請求項１９】
光情報記録媒体から情報を再生する、および／あるいは光情報記録媒体に情報を記録する光情報処理方法であって、
光ビームを出射する出射ステップと、
前記出射ステップで出射された光ビームを光情報記録媒体に照射したときに得られる再生光の少なくとも一部を開口部により通過させる開口ステップと、
前記再生光の少なくとも一部を検出する検出ステップと、
前記検出ステップで得られる第１の信号に基づいて前記開口部の位置を制御する第１の制御ステップと、
前記開口部の位置を固定制御または位置検出センサに基づく制御をする第２の制御ステップと、
を備える光情報処理方法。
【請求項２０】
参照光と信号光を用いてページが記録されている光情報記録媒体から情報を再生する光情報装置であって、
参照光を出射する光学系と、
前記光学系からの参照光の光情報記録媒体への入射角度を制御する角度制御部と、
前記角度制御部からの参照光を光情報記録媒体に照射したときに得られる再生光の少なくとも一部を通過させる開口部と、
前記角度制御部が第１のページに対応する角度から第２のページに対応する角度に移動中の少なくとも一部の期間に、前記開口部の位置を固定制御または位置検出センサに基づく制御をする制御状態を有する制御部と、
を備える光情報装置。
【請求項２１】
光情報記録媒体から情報を再生する光情報装置であって、
光ビームを出射する光学系と、
前記光学系からの光ビームを光情報記録媒体に照射したときに得られる再生光の少なくとも一部を通過させる開口部と、
前記光学系または前記光情報記録媒体が移動中の少なくとも一部の期間に、前記開口部の位置を固定制御または位置検出センサに基づく制御をする制御状態を有する制御部と、
を備える光情報装置。
【国際調査報告】
2015114743.tif 000024
2015114743.tif 000025
2015114743.tif 000026
2015114743.tif 000027